(57)【特許請求の範囲】
【請求項１】
地震による横方向のドア枠変形力を吸収する対震ドア（１）であって、
横方向に分割された第１部分（１１）と第２部分（１２）からなり、これらの第１・第２部分（１１，１２）の間に隙間（１３）を有するドア本体（１０）と、
前記第１部分（１１）と前記第２部分（１２）の間に設けられ、これらの第１・第２部分（１１，１２）を接続すると共に、地震発生時には横方向にスライド可能な、少なくとも２つの緩衝器（３）を有し、
前記緩衝器（３）は各取付位置の側圧に対応することができるように強度が変更されている
ことを特徴とする対震ドア（１）。
【請求項２】
地震による横方向及び縦方向のドア枠変形力を吸収する対震ドア（１）であって、
横方向に分割された第１部分（１１）と第２部分（１２）からなり、これら第１・第２部分（１１，１２）の間に隙間（１３）を有するドア本体（１０）と、
前記第１部分（１１）と前記第２部分（１２）の間に設けられ、これら２つの部分（１１，１２）を接続すると共に、地震発生時には横方向にスライド可能な、少なくとも２つの緩衝器（３）を有し、
前記緩衝器（３）は各取付位置の側圧に対応することができるように強度が変更されており、さらに、
前記ドア本体を回動可能に支持するとともに縦方向のドア枠変形力を吸収する対震蝶番（５）を有する
ことを特徴とする対震ドア（１）。
【請求項３】
前記緩衝器（３）が、前記第１部分（１１）に取り付ける第１部材（３１）と、前記第２部分（１２）に取り付ける第２部材（３２）と、これらの第１・第２部材（３１，３２）を弾力的につなぐ軸（３７）からなる請求項１又は２記載の対震ドア（１）。
【請求項４】
前記隙間（１３）の幅が１０〜２０ｍｍである請求項１〜３のいずれかに記載の対震ドア（１）。
【請求項５】
前記隙間（１３）が、前記第１部分（１１）と前記第２部分（１２）の間の隙間（１３Ａ）と、前記第１部材（３１）と前記第２部材（３２）の間の隙間（１３Ｂ）からなる請求項１〜４のいずれかに記載の対震ドア（１）。
【請求項６】
前記第１部分（１１）と前記第２部分（１２）の間の隙間（１３Ａ）を隠す化粧カバー（１４，１５）が設けられている請求項５記載の対震ドア（１）。
【請求項７】
対震ドアにおける前記隙間（１３）の上端位置にこの隙間（１３）の伸縮を妨害しない蓋を設けた請求項１〜６のいずれかに記載の対震ドア（１）。
【請求項８】
対震ドアにおける前記隙間（１３）の下端位置に排水口を設けた請求項１〜７のいずれかに記載の対震ドア（１）。
【請求項９】
前記緩衝器（３）が４個設けられている請求項１〜８のいずれかに記載の対震ドア（１）。
【請求項１０】
前記４個の緩衝器（３）は、最上部及び最下部に位置する２個の前記緩衝器（３）のバネ強度が、それらの間に位置する２個の前記緩衝器（３）のバネ強度よりも強いものである請求項９記載の対震ドア（１）。
【請求項１１】
前記対震蝶番（５）が、縦方向のドア枠変形力を吸収するバネ（６５）を管部（５７）に内蔵するものである請求項２〜１０のいずれかに記載の対震ドア（１）。
【発明の詳細な説明】
【技術分野】
【０００１】
本発明は、対震ドアに関するものである。地震に対して耐久性があるという意味で「耐震」という言い方があるが、本発明でいう「対震」は、地震に対して耐久性があるというよりは、広い意味で地震に対して対応ができている、ということである。
【背景技術】
【０００２】
近年、日本列島は活動期に入ったといわれ、全国各地で地震が頻発している。周知のように、規模の大きな地震のときには大勢の人々が死傷し、多数の建築物が損壊している。地震国に住む者として我々は、普段から地震に備えておかなければならない。
【０００３】
地震のために家屋が損壊したとき、ドア枠が変形して、ドアの開閉ができなくなることがある。ドアが開かないために外に出られずに救助が遅れたり、最悪のケースでは、発生した火災にのみ込まれて焼死したり、余震による建物の倒壊によって圧死したりするということもある。
【０００４】
このような事態を防ぐために、多数の発明・考案が行われている。その一つの方策は、扉の上下及び／又は左右に変形吸収機能を付け、枠との接触力を吸収させることによって、扉と枠の変形を生じさせないことである（実開昭６１-６５１９０号公報、特開平９-１８９１７４号公報、特開平１０-１８４２１８号公報、特開平１０-２８０８２１号公報、など）。
【先行技術文献】
【特許文献】
【０００５】
【特許文献１】実開昭６１-０６５１９０号公報
【特許文献２】特開平０９-１８９１７４号公報
【特許文献３】特開平１０-１８４２１８号公報
【特許文献４】特開平１０-２８０８２１号公報
【特許文献５】特開２００５−１６３４６６号公報
【発明の概要】
【発明が解決しようとする課題】
【０００６】
地震で建物が揺れることにより、建物全体の変形や破損を生じる。特に、ドア枠は建物と直接繋いでいる構造のためドア枠まわりの建物変形や破損を直接受ける。代表的な建物変形は枠の菱型形状である（層間変位におこるドアセットの面内変形）。代表的な破損はドア枠周りのコンクリートの部分破壊による枠の部分的な変形である（ドアセットの局部変形）。これはマンションなどのドア枠とサッシ枠との間にある雑壁といわれるコンクリートがＸ線状に割れることで生じるドア枠の変形である。これらのドア枠変形で枠と扉が強く接触をおこした状態で地震がおさまったときにドア枠の開閉不良が起こる。
【０００７】
本発明の目的は、ドア枠変形（面内変形及び局部変形）を起こしても双方の変形に対して接触を緩和することによって、開閉不良を防ぐことである。また、地震の最中に何度も枠とドアが繰り返しぶつかる現象に対して、扉やドア金具の破損を抑制することである。
【課題を解決するための手段】
【０００８】
本発明は、地震による横方向のドア枠変形力を吸収する対震ドアであって、  横方向に分割された第１部分と第２部分からなり、これらの第１・第２部分の間に隙間を有するドア本体と、前記第１部分と前記第２部分の間に設けられ、これらの第１・第２部分を接続すると共に、地震発生時には横方向にスライド可能な、少なくとも２つの緩衝器を有し、前記緩衝器は各取付位置の側圧に対応することができるように強度が変更されていることを特徴とする（請求項１）。
【０００９】
本発明はまた、地震による横方向及び縦方向のドア枠変形力を吸収する対震ドアであって、横方向に分割された第１部分と第２部分からなり、これら第１・第２部分の間に隙間を有するドア本体と、前記第１部分と前記第２部分の間に設けられ、これら２つの部分を接続すると共に、地震発生時には横方向にスライド可能な、少なくとも２つの緩衝器を有し、前記緩衝器は各取付位置の側圧に対応することができるように強度が変更されており、さらに、前記ドア本体を回動可能に支持するとともに縦方向のドア枠変形力を吸収する対震蝶番を有することを特徴とする（請求項２）。
【００１０】
好ましくは、前記隙間の幅は１０〜２０ｍｍである。
【００１１】
好ましくは、前記隙間は、前記第１部分と前記第２部分の間の隙間と、前記第１部材と前記第２部材の間の隙間からなるものである。
【００１２】
好ましくは、前記第１部分と前記第２部分の間の隙間を隠す化粧カバーが設けられている。
【００１３】
好ましくは、対震ドアにおける前記隙間の上端位置にこの隙間の伸縮を妨害しない蓋を設ける。また、対震ドアにおける前記隙間の下端位置には排水口を設ける。
【００１４】
好ましくは、前記緩衝器は、前記第１部分に取り付ける第１部材と、前記第２部分に取り付ける第２部材と、これらの第１・第２部材を弾力的につなぐ軸からなる。
【００１５】
好ましくは、前記緩衝器は２〜４個設けられている。これらの緩衝器は各取付位置の側圧に対応することができるように強度が変更されている。
【００１６】
対震蝶番は、縦方向のドア枠変形力を吸収することが可能であれば、どのようなものであってもよい。好ましくは、前記対震蝶番は、縦方向のドア枠変形力を吸収するバネを管部に内蔵するものである。
【発明の効果】
【００１７】
本発明請求項１によれば、地震により横方向にドア枠変形力が加えられたとき、緩衝器の抗圧縮力に逆らって隙間が狭められることによって、ドア本体の横幅が一時的に縮小するので、ドア枠変形が起こってもドアに破壊をもたらさない。すなわち、地震の横方向のドア枠変形力を緩衝器が吸収したことになる。
【００１８】
本発明請求項２によれば、上記請求項１の効果に加えて、対震蝶番が縦方向のドア枠変形力も吸収することができる。
【００１９】
さらに本発明の対震ドアは、特別に部品を付加することなく、既設のドア枠に取り付けることもできるので、経済的である。
【００２０】
以下、添付の図面に基づき、本発明の実施例を説明する。
【図面の簡単な説明】
【００２１】
【図１】地震による従来のドアの変形状態を示す正面図で、（ａ）（ｂ）は上下方向のゆがみを示し、（ｃ）は横方向のゆがみを示している。
【図２】本発明の実施例に係る対震ドアが地震発生時に横方向の力を吸収する状態を示す正面図であり、（ａ）は地震発生前、（ｂ）は（ａ）の内部構造、（ｃ）は地震発生後の内部構造を示している。
【図３】緩衝器の位置におけるドアの横断面図である。
【図４】緩衝器の位置におけるドアの縦断面図（図７のＩＶ―ＩＶ側面）である。
【図５】緩衝器の位置におけるドアの縦断面図（図７のＶ−Ｖ側面）である。
【図６】緩衝器の斜視図である。
【図７】緩衝器の正面図である。
【図８】緩衝器の横断面図である。
【図９】本発明の実施例に係る対震蝶番の正面図と底面図である。
【図１０】対震蝶番の展開図である。
【発明を実施するための形態】
【００２２】
大地震が発生すると、従来のドア１Ａやドア枠２は、図１（ａ）（ｂ）のように縦方向に変形したり、図１（ｃ）のように横方向に変形したりする（図面では火花の図形で示している）。横方向の変形に関して、マンションなどでは廊下に面した窓２１とドアの間でＸ字状に亀裂２２が多く発生することが知られている（ドアセットの局部変形）。
【００２３】
図２は、本発明の実施例に係る対震ドア１が地震発生時に横方向のドア枠変形力を吸収する状態を示している。図２（ａ）は地震発生前、図２（ｂ）は（ａ）の内部構造、図２（ｃ）は地震発生後の内部構造である。
【００２４】
この実施例の対震ドア１は、横方向のドア枠変形力の吸収には緩衝器３を使用し、縦方向のドア枠変形力の吸収には対震蝶番５を使用している。
【００２５】
＜緩衝器＞
図２に示すように、対震ドア１は、横方向に区分された第１部分１１と第２部分１２の２部分からなるドア本体１０を有する。区分位置はこの実施例では、ドア戸先側に寄せて設けられているが、内部装置の設定に問題がなければどこでもよい。
【００２６】
第１部分１１と第２部分１２の間には隙間１３が設けられている。（なお、隙間１３は、第１部分１１と第２部分１２の間の隙間１３Ａと、後記する第１部材３１と第２部材３２の間の隙間１３Ｂのそれぞれについて使用する場合と総称として使用する場合がある。）隙間１３の距離は１０〜２０ｍｍ程度であり、約１５ｍｍが防犯上最も好ましい。なぜなら、泥棒がバールを使って戸先側の扉と縦枠の隙間を拡大しようとしても約１５ｍｍドア幅が縮小する程度ではデッドボルトが完全には抜けないからである。さらに防犯のため、図３に示すように、ドア取っ手付近の隙間はＬ字状の部材１８によって覆うことが好ましい。
【００２７】
緩衝器３はその隙間１３をつなぐようにして４か所で設けられている。図３に示すように、隙間１３Ａは、第２部分１２に固定された化粧カバー１４，１５で覆われる。化粧カバー１４，１５は隙間１３Ａの伸縮をカバーしつつ第１部分１１の上をスライド可能である。隙間１３Ａを覆う化粧カバー１４，１５は、図２（ａ）に示すように、外から見れば縦方向の直線模様のように見える。化粧カバー１４，１５は、建物の内外を仕切るドアの場合は防犯上必須といってもよいが、建物内部のドアの場合は必須ではない。
【００２８】
４個の緩衝器３はいずれも同じ構造であるので、図３〜６では、１個だけを拡大して示している。
【００２９】
緩衝器３は、図６〜８に示すように、対震ドア１の第１部分１１に取り付ける第１部材３１と、第２部分１２に取り付ける第２部材３２からなる。第１部材３１は、「コ」の字型の枠３３と、「コ」の字の開放側に位置する中間板３５を有する。第２部材３２は、「コ」の字型の枠３４と、「コ」の字型枠の開放側に位置する固定板３６を有する。第１部材３１は、枠３３の両末端３３１が第１部分骨組枠１６にビス止め又は溶接固定され、第２部材３２は、固定板３６が第２部分骨組枠１７にビス止め又は溶接固定される。第１部材３１と第２部材３２の隙間１３Ｂは第１部分１１のドア本体によってカバーされている。なお、緩衝器３の第１部材３１と第２部材３２は左右を逆にして取り付けることができるのはもちろんである。
【００３０】
第１部材３１と第２部材３２は軸３７でつながれる。軸３７の第１部分１１側は、枠３３の最深部からさらにガイド３９に案内されて進退可能である。軸３７の第２部分１２側は、枠３４の最深部に固定されている。第１部材３１の枠３３と中間板３５の間において、軸３７の上に圧縮バネ３８が取り付けられている。
【００３１】
したがって、地震により横方向にドア枠変形力が加えられると、緩衝器３の隙間１３Ｂが狭められ、第１部分１１と第２部分１２の間の隙間１３Ａも狭められる（図２（ｂ）と（ｃ）参照）が、その力がなくなると、バネ３８の復元力により各隙間１３Ａ、１３Ｂは回復する。バネの抗圧縮力に逆らって各隙間１３Ａ、１３Ｂが狭められることによって、対震ドア１の本体横幅が一時的に縮小するので、地震のドア枠変形力が対震ドア１に破壊をもたらさない。すなわち、地震の横方向のドア枠変形力を緩衝器３が吸収したことになる。
【００３２】
このとき、緩衝器３は複数設けられているので、ドアの縦方向枠のどの位置でも横方向の圧力に対応することができる。
【００３３】
なお、複数の緩衝器３における圧縮バネ３８は、初期荷重を変えることが好ましい。例えば、４個の緩衝器３を設ける場合、最上部及び最下部に位置する２個の緩衝器３のバネ強度を、それらの間に位置する２個よりもやや強いものとしておくことが好ましい。何も知らない人がドアに手をかけたときに隙間１３Ａ、１３Ｂが急に狭くなって驚いて転んだりするようなことがあってはいけないからである。具体的には、例えば４個の緩衝器のうち、最上部と最下部の２個は初期荷重約２５ｋｇｆとし、間の２個は初期荷重約１０ｋｇｆとすることができる。実験上、４個の緩衝器の合計初期荷重が７０ｋｇｆあれば上述のような事故は起こらないことが分かっている。
【００３４】
さらに、隙間１３Ａ、１３Ｂのドア上端には、雨やほこりの侵入を排除するため、蓋（図示せず）をするのが好ましい。隙間１３Ａ、１３Ｂは伸縮する役目を有するのであるから、蓋は堅牢なものであってはならず、防水処理したスポンジのような軟質樹脂や容易に破壊される薄いプラスチック板が好ましい。また、台風などの強い雨のとき、化粧カバー１４、１５の縁から雨が浸み込むことがあるかもしれないが、その雨水を排水するためにドア底部に排水口（図示せず）を設けることが好ましい。
【００３５】
＜対震蝶番＞
図９及び図１０は、縦波による振動力を吸収するための対震蝶番５である。ドアを回転自在に支持する蝶番は標準的なドア１個当たり、２，３個（図２の実施例では３個）使用されている。
【００３６】
対震蝶番５としては、すでに公知のものが使用可能である。図９及び図１０に示したものは、本出願人の特開２００５−１６３４６６で開示したものである。
【００３７】
図９（ａ）（ｂ）に示すように、この対震蝶番５は上羽根板５１、下羽根板５２、ユニット５３、軸５４、スカート５５及びギボシ５６を主部材とする。
【００３８】
上下羽根板５１，５２は方形状の平板の一辺から内側に丸めて円筒状の管部５７，５８とし、残る平板部分を羽根５９，６０として取付孔６１，６２を設けている。上下羽根板５１，５２の大きさと形状は取り付ける相手により変わる。
【００３９】
シリンダ６３内部のプラグ６４がばね６５の圧力で飛び出さぬように先端部分に絞り６６を設けている。シリンダ６３にはプラグ６４に続いてばね６５をギボシ６７で圧縮して押し込み、シリンダ６３とギボシ６７を点溶接で仮固定する。管部５７に挿入した後、シリンダ６３とギボシ６７及び管部５７をピン６８で共縫して本固定する。シリンダ６３内に圧入するばね６５には、対震蝶番５の使用が正常時は縮まず、異常時に管部５７，５８同士の隙間に相当する収縮代が与えられている。
【００４０】
対震蝶番５は、軸５４を下羽根板５２の管部５８内に圧入するだけでは、圧入力以上に大きな外力が瞬間作用しても軸５４が管部５８内面を滑動してずれる可能性がある。その場合、上羽根板５１の管部５７のユニット５３内のばね６５の持つ弾性が充分活用されなくなるので、別の手段で管部内面と軸端を固定するのがよい。本例では溶接で固定したがピン等を使用して固定してもよい。
【００４１】
従来の羽根板の管部にプラグとばねを直接組み込む作業に較べると、本発明のシリンダ６３とプラグ６４とばね６５及びギボシ６７からなるユニット５３の組立作業は、前者には欠かせない管部内面の切削加工作業とプラグ６４の動きを調整しながら実施するばね６５の圧入作業が不要となり組立が単純化する。しかも、ユニット５３の組立が容易なる他に精度の均一化も計れ、蝶番５の品質向上に寄与する。
【００４２】
軸５４は管部５８と嵌合する先端寄りを円錐６９状に加工する。先端には窪みを設けて鋼球７０を格納し、抜け止めを施して回動自在に保持する。対震蝶番５を組み立てるとプラグ先端７１と鋼球７０が接触し、鋼球７０から伝わる力をユニット５３内のばね６５が吸収して縮む。
【００４３】
スカート５５は管部同士の隙間を隠す部材で、底の孔７２側を下向きにし、切込み７３と羽根板５１の羽根５９を組み合わす。スカート５５は強度に寄与しないため合成樹脂等の非金属材料でもよい。
【００４４】
ギボシ５６は管部５８に圧入又は溶接固定して固定する。
【符号の説明】
【００４５】
１Ａ   従来のドア
１     対震ドア
１１   第１部分
１２   第２部分
１３Ａ （第１部分と第２部分の間の）隙間
１３Ｂ（第１部材と第２部材の間の）隙間
１４，１５    化粧カバー
１６   （第１部分側）扉の骨組枠
１７   （第２部分側）扉の骨組枠
１８   Ｌ字状の部材
２１   窓
２２   亀裂
２     ドア枠
３     緩衝器
３１   第１部材
３２   第２部材
３３，３４    「コ」の字型枠
３３１  固定部
３５  中間板
３６   固定板
３７   軸
３８   圧縮バネ
３９  ガイド
５     対震蝶番
５１   上羽根板
５２   下羽根板
５３   ユニット
５４   軸
５５   スカート
５６   ギボシ
５７，５８    管部
５９，６０    羽根
６１，６２    取付孔
６３   シリンダ
６４   プラグ
６７   ギボシ
６８   ピン
６９   円錐
７０   鋼球
７１   プラグ先端
７２   孔
【図１】
0006765652.tif 000002
【図２】
0006765652.tif 000003
【図３】
0006765652.tif 000004
【図４】
0006765652.tif 000005
【図５】
0006765652.tif 000006
【図６】
0006765652.tif 000007
【図７】
0006765652.tif 000008
【図８】
0006765652.tif 000009
【図９】
0006765652.tif 000010
【図１０】
0006765652.tif 000011